(57)【要約】【課題】  スライド扉を取り外すことなく、ローラ部材の交換作業を容易に行うことができるようにしたスライド扉装置を提供する。【解決手段】  庫体１の開口部２の上部側に水平に配設される案内レール３と、開口部を開閉する扉体５と、扉体の上部に装着されて案内レールを転走可能な吊り車輪７と、扉体の下端部と庫体の開口部近傍の床面８との対向する位置に形成され、扉体を閉鎖する際に互いに係合して扉体を開口部に押圧する密閉移動手段１０とを有するスライド扉装置において、密閉移動手段は、扉体の下端部に装着される扉引寄せ部材１１，１２と、庫体の開口部近傍の床面に配設され、閉鎖位置における扉体の外方に係合するガイドローラ１４Ａ，１４Ｂを具備し、ガイドローラを、扉引寄せ部材に回転自在に接触するローラ部材１５と、ローラ部材を回転自在かつ着脱可能に装着するローラブラケット１６とで構成する。【選択図】    図１
2005344326.tif 000002
【特許請求の範囲】
【請求項１】
建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部と上記庫体の出入口用開口部近傍の床面との対向する位置に形成され、扉体を閉鎖する際に互いに係合して扉体を庫体の出入口用開口部に押圧する密閉移動手段と、を具備するスライド扉装置において、
上記密閉移動手段は、上記扉体の下端の側部における開閉移動の先端部側及び後端部側に装着される扉引寄せ部材と、上記庫体の出入口用開口部近傍の床面に配設され、閉鎖位置における扉体の上記扉引寄せ部材に、扉体の外方側に係合するガイドローラとを具備し、
上記ガイドローラを、上記扉引寄せ部材に回転自在に接触するローラ部材と、このローラ部材を回転自在かつ着脱可能に装着するローラブラケットとで構成してなる、ことを特徴とするスライド扉装置。
【請求項２】
請求項１記載のスライド扉装置において、
上記ローラ部材を円筒状部材にて形成し、
上記ローラブラケットを、床面に固定される取付板と、この取付板の上面に立設される垂直軸とで構成し、
上記ローラ部材を上記垂直軸に回転自在及び着脱可能に装着し、垂直軸の上端に開設されたねじ穴にワッシャを介してねじ結合されるねじ部材によって垂直軸に止着してなる、ことを特徴とするスライド扉装置。
【請求項３】
請求項１又は２記載のスライド扉装置において、
上記扉引寄せ部材及びローラ部材を合成樹脂製部材にて形成してなる、ことを特徴とするスライド扉装置。
【発明の詳細な説明】
【技術分野】
【０００１】
この発明は、スライド扉装置に関するもので、更に詳細には、建造物の庫体の出入口用開口部の上部側に水平状に配設される案内レールと、上記出入口用開口部を開閉する扉体と、上記扉体の上部に装着されて、上記案内レールに転走可能に係合する吊り車輪と、上記扉体を出入口用開口部に密閉にする密閉移動手段とを具備するスライド扉装置に関するものである。
【背景技術】
【０００２】
一般に、冷蔵庫等の出入口用開口部を開閉する扉の開閉手段として、スライド扉が広く使用されている。従来、この種のスライド扉は、冷蔵庫等の出入口用開口部の閉鎖時に、スライド扉を庫体の出入口用開口部の周縁に圧接して庫体内の雰囲気を維持する構造となっている。
【０００３】
上記従来のスライド扉装置として、例えば、冷蔵庫等におけるスライド扉の下端部に備えられたローラが、スライド扉の閉鎖位置の床面に設けられたガイド板によって庫体側に偏移するように案内して、スライド扉も庫体の開口部に圧接して冷蔵庫等の庫体の開口部の気密状態を維持する構造のものが知られている（例えば特許文献１参照）。
【０００４】
また、冷蔵庫等におけるスライド扉の下端部に、この扉体の移動方向に沿って平行に延在する２つのガイド溝と、庫体の開口部の床面に取り付けられたブラケットに回転自在に装着されるガイドローラとを形成し、扉体の閉鎖状態時にガイド溝とガイドローラが互いに係合して扉体を庫体の密閉位置に押圧する構造のものも知られている（例えば特許文献２参照）。
【特許文献１】特開２０００−１４６４１７（「特許請求の範囲」、段落番号００１７〜００２３、図１、図２）
【特許文献２】特開２０００−８８４４１（「特許請求の範囲」、段落番号００２５，００２６、図１、図２、図１１）
【発明の開示】
【発明が解決しようとする課題】
【０００５】
しかしながら、前者すなわち特開２０００−１４６４１７に記載のものにおいては、ローラがスライド扉の下端部に配設されているため、何らかの原因でローラが破損した場合にローラを交換するには、スライド扉を取り外す必要があるので、ローラの交換作業に手間がかかると共に、交換作業中に冷蔵庫等の庫体内の雰囲気が損なわれるという問題があった。
【０００６】
また、後者すなわち特開２０００−８８４４１に記載のものにおいては、ガイドローラを、床面に取り付けられたブラケットに回転自在に装着する構造であるが、ガイドローラとブラケットとが、特殊リング固定になっているので、何らかの原因でローラが破損した場合には、ブラケットごと交換する必要があり、交換部品のコストが高くなるという問題があった。また、ガイドローラ及びブラケットを交換するには、上記特開２０００−１４６４１７に記載のものと同様に、スライド扉を取り外す必要があるので、ガイドローラの交換作業に手間がかかると共に、交換作業中に冷蔵庫等の庫体内の雰囲気が損なわれるという問題があった。
【０００７】
この発明は、上記事情に鑑みてなされたもので、スライド扉を取り外すことなく、ローラ部材の交換作業を容易に行うことができるようにしたスライド扉装置を提供することを課題とする。
【課題を解決するための手段】
【０００８】
上記課題を解決するために、この発明のスライド扉装置は建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部と上記庫体の出入口用開口部近傍の床面との対向する位置に形成され、扉体を閉鎖する際に互いに係合して扉体を庫体の出入口用開口部に押圧する密閉移動手段と、を具備するスライド扉装置において、  上記密閉移動手段は、上記扉体の下端の側部における開閉移動の先端部側及び後端部側に装着される扉引寄せ部材と、上記庫体の出入口用開口部近傍の床面に配設され、閉鎖位置における扉体の上記扉引寄せ部材に、扉体の外方側に係合するガイドローラとを具備し、  上記ガイドローラを、上記扉引寄せ部材に回転自在に接触するローラ部材と、このローラ部材を回転自在かつ着脱可能に装着するローラブラケットとで構成してなる、ことを特徴とする（請求項１)。
【０００９】
また、上記ローラ部材を円筒状部材にて形成し、  上記ローラブラケットを、床面に固定される取付板と、この取付板の上面に立設される垂直軸とで構成し、  上記ローラ部材を上記垂直軸に回転自在及び着脱可能に装着し、垂直軸の上端に開設されたねじ穴にワッシャを介してねじ結合されるねじ部材によって垂直軸に止着してなる、ことを特徴とする（請求項２）。
【００１０】
この発明において、上記扉引寄せ部材及びローラ部材を合成樹脂製部材にて形成する方が好ましい（請求項３）。
【発明の効果】
【００１１】
この発明によれば、上記のように構成されているので、以下のような効果が得られる。
【００１２】
（１）請求項１記載の発明によれば、密閉移動手段を、扉体の下端の側部における開閉移動の先端部側及び後端部側に装着される扉引寄せ部材と、庫体の出入口用開口部近傍の床面に配設され、閉鎖位置における扉体の扉引寄せ部材に、扉体の外方側に係合するガイドローラを形成することによって、扉体を閉鎖位置に移動した際に、扉引寄せ手段とガイドローラとが係合し、扉体を庫体の出入口用開口部に押圧することができるので、スライド扉によって庫体の出入口用開口部を密閉することができる。また、扉体の外方側の床面にガイドローラを配設することによって、ガイドローラのローラ部材が破損又は摩耗した場合に、扉体を取り外すことなく、ローラ部材の交換作業を容易に行うことができる。したがって、スライド扉を閉鎖した状態でローラ部材の交換作業を行うことができるので、庫体内の雰囲気を維持した状態でローラ部材の交換を行うことができる。
【００１３】
（２）請求項２記載の発明によれば、ローラ部材をローラブラケットの垂直軸に回転自在及び着脱可能に装着し、垂直軸の上端に開設されたねじ穴にワッシャを介してねじ部材をねじ結合することによって、上記（１）に加えて、更に、ローラ部材の交換作業を容易に行うことができる。
【００１４】
（３）請求項３記載の発明によれば、扉引寄せ部材及びローラ部材を合成樹脂製部材にて形成することによって、上記（１）又は（２）に加えて、接触部（圧接部）の摩耗を少なくすることができ、また、摩耗又は破損した場合に安価に交換することができる。
【発明を実施するための最良の形態】
【００１５】
以下に、この発明に係るスライド扉装置の最良の形態を添付図面に基づいて詳細に説明する。ここでは、この発明に係るスライド扉装置をプレハブ式冷蔵庫に適用した場合について説明する。
【００１６】
図１は、この発明に係るスライド扉装置の一例を示す概略正面図、図２は、上記スライド扉装置を示す断面図、図３は、この発明における密閉移動手段を示す拡大側面図、図４は、図１のＩ−Ｉ線に沿う断面図である。
【００１７】
上記スライド扉装置は、プレハブ式冷蔵庫の庫体１に開設された出入口用開口部２（以下に開口部２という）の上部側に水平状に配設される案内レール３と、この案内レール３を直線状に載置固定するレール取付部材４と、開口部２を開閉する扉体５と、この扉体５の上端部にブラケット６を介して装着されると共に、案内レール３を転走する吊り車輪７と、扉体５の下端部と庫体１の開口部２近傍の床面８との対向する位置に形成され、扉体５を閉鎖する際に互いに係合して扉体５を庫体１の開口部２に押圧する密閉移動手段１０とによって主に構成されている。なお、扉体５の下端には、床面８に接触するずれパッキン５７が垂下状に装着されている。また、開口部２の開口縁部には、開口枠２１が装着されており、開口部２の開口縁に沿ってパッキン受座７１が周設されている（図２及び図４参照）。
【００１８】
上記案内レール３は、図１及び図２に示すように、レール面３０が断面逆Ｖ字状に隆起する断面略矩形状の複数（この場合２個）のアルミニウム製押出形材レール基部３１と、このレール基部３１に連接される断面略矩形状のピース状のプラスチック製ガイド部材３２とで構成されている。
【００１９】
上記ガイド部材３２は、図１に示すように、扉体５の上部両端部に装着される吊り車輪７に対応するように、案内レール３の閉鎖側前端部と閉鎖側後端部（開放側前端部）及び開放側後端部に配設されている。このガイド部材３２は、図２に示すように、上記庫体１側に向かって円弧状に屈曲する屈曲部（図示せず）が形成され、レール面３４が、レール基部３１のレール面３０と同じ高さになるように組み付けられ（連接され）ており、一側方例えば外方の下辺には、床面８に対して水平に形成されると共に、後述する吊り車輪７の外周縁７ｂが転走可能な支持面３６を有する車輪受け部３５が形成されている。
【００２０】
上記のように構成されるレール基部３１とガイド部材３２は、庫体１に取付ボルト４１をもって取り付けられるレール取付部材４に載置されると共に、固定ボルト（図示せず）をもって固定されている。この場合、レール取付部材４は、図２に示すように、レール基部３１とガイド部材３２とを載置する断面Ｖ字状の保持部４２と、この保持部４２の一端から傾斜状に延在する傾斜部４３と、傾斜部４３の先端に交差状に連結する垂直状の取付部４４と、取付部４４の下端と傾斜部４３の下部とに連結される補強部４５とからなるアルミニウム製押出形材にて形成されている。
【００２１】
このように形成されるレール取付部材４は、保持部４２上にレール基部３１とガイド部材３２を互いに連接した状態で載置し、保持部４２の外側から固定ボルトを螺合して、レール基部３１とガイド部材３２を固定する。そして、取付部４４を庫体１の取付面に当接した状態で、取付ボルト４１を取付部４４に設けられた取付孔（図示せず）を貫通して庫体１に螺合することにより、レール基部３１とガイド部材３２を強固に固定することができる。
【００２２】
したがって、扉体５の閉鎖位置及び開放位置に対応させて、レール基部３１とガイド部材３２との連接位置を適宜代えることができるので、案内レール３の加工を容易にすることができると共に、案内レール３及び扉体５の組付けを容易にすることができる。
【００２３】
なお、レール取付部材４の端部には、扉体５のストッパ部材５０が取り付けられている（図１参照）。また、上記扉体５の戸当り面には、ストッパ部材５０に衝突する合成ゴム製のストッパ片５４が取り付けられている（図１参照）。なお、扉体５の開放位置の床面８には、扉体５のストッパ部材５５が取り付けられている（図１参照）。
【００２４】
一方、上記吊り車輪７は、扉体５の上端におけるスライド方向の両端側の２箇所に取り付けられており、案内レール３のレール面３０，３４の逆Ｖ字状に対応するＶ形溝７ａと、上述したようにレール面３０，３４を転走すると共に、車輪受け部３５の支持面３６上を転走可能な外周縁７ｂとを具備している。また、吊り車輪７は、扉体５の取付状態｛具体的には、扉体５が位置する床面８の凹凸や傾斜状態｝に応じて位置調節が可能となっている。すなわち、扉体５の上端に固定されるＬ形状のブラケット６の垂直片６１に設けられた垂直状の長孔（図示せず）内を摺動可能（上下移動可能）に取り付けられた支持軸６２によって垂直方向に回転自在に装着されている（図２参照）。なお、ブラケット６の垂直片６１の上端には、扉体５が自重によって下がるのを防止するためのストッパ機構６３が設けられている。
【００２５】
このように形成される吊り車輪７は、案内レール３（具体的には、レール基部３１及びガイド部材３２）上をＶ形溝７ａ及び外周縁７ｂが転走することができると共に、扉体５の閉鎖及び開放時には案内レール３のガイド部材３２の屈曲部に沿って閉鎖及び開放位置まで移動できる。また、ガイド部材３２の屈曲部に沿って移動する際、車輪受け部３５の支持面３６によって、吊り車輪７の外周縁７ｂを支持すると共に、吊り車輪７を転走することができるので、扉体５を開閉する際に、吊り車輪７がレール基部３１とガイド部材３２との間をスムーズに転走することができ、扉体５の開閉を容易に行うことができる。
【００２６】
上記扉体５は、一対の表面板５ａと、これら表面板５ａの辺部間に介在される枠材５ｂと、両表面板５ａ及び枠材５ｂにて形成される空間内に発泡ポリウレタン等の発泡性の断熱性心材５ｃを充填したサンドイッチ構造となっており、この扉体５の庫体１側の上辺及び左右辺には、開口部２の開口枠２１に周設されたパッキン受座７１に圧接するパッキング７０が周設されている（図２及び図４参照）。また、扉体５の上端には、扉体５の上端に対して高さ調節可能な脱輪防止部材５６が着脱可能に装着されている。また、扉体５の庫体１側の下端部には、床面８に接触するずれパッキン５７が垂下されている（図１及び図２参照）。なお、庫体１の開口枠２１の適宜位置とパッキング受座７１の適宜位置には解凍及び結露水防止用のヒータ（図示せず）が埋設されている。
【００２７】
一方、扉体５の閉鎖時における扉体５の外側下部と床面８には、密閉移動手段１０が形成されている。
【００２８】
上記密閉移動手段１０は、図１ないし図６に示すように、扉体５の下端の側部における開閉移動の先端部側に装着される第１の扉引寄せ部材１１と、開閉移動の後端部側に装着される第２の扉引寄せ部材１２と、庫体１の開口部２近傍の床面８に配設されて、扉体５の閉鎖位置における第１の扉引寄せ部材１１に係合する第１のガイドローラ１４Ａと、第２の扉引寄せ部材１２に係合する第２のガイドローラ１４Ｂとによって構成されている。なお、扉体５の外方側の表面板５ａの下端には、第１及び第２の扉引寄せ部材１１，１２間に連接されるプロテクタ１３が装着されている。
【００２９】
上記第１及び第２の扉引寄せ部材１１，１２は、例えばポリアセタール樹脂（ＰＯＭ）等の合成樹脂製部材により形成されており、図４及び図５に示すように、扉体５の先端側端面及び後端側端面を覆う端片１１ａ，１２ａと、この端片１１ａ，１２ａから折曲されて、扉体５の外側の表面板５ａの端部を覆うガイド片１１ｂ，１２ｂとによって断面略Ｌ字状に形成されている。なお、端片１１ａ，１２ａとガイド片１１ｂ，１２ｂとの折曲部の外面は、ガイドローラ１４Ａ，１４Ｂの後述するローラ部材１５と係合し易いように、略円弧状に形成されている。
【００３０】
上記第１の扉引寄せ部材１１のガイド片１１ｂは、扉体５の閉鎖位置において、第１のガイドローラ１４Ａが接触すると共に、扉体５の開放位置において、第２のガイドローラ１４Ｂが接触し、扉体５を庫体１側に押圧するガイド面１１ｃと、このガイド面１１ｃから扉体５の後端側に向かって下り勾配に傾斜して、上記プロテクタ１３と連接する案内面１１ｄとを具備している。
【００３１】
上記第２の扉引寄せ部材１２のガイド片１２ｂは、扉体５の閉鎖位置において、第２のガイドローラ１４Ｂが接触し、扉体５を庫体１側に押圧する押圧面１２ｃと、この押圧面１２ｃからガイド片１２ｂの先端に向かって下り勾配に傾斜して、プロテクタ１３と連接するガイド傾斜面１２ｄとを具備している。
【００３２】
なお、第１及び第２の扉引寄せ部材１１，１２の端片１１ａ，１２ａには、取付孔１１ｅ，１２ｅが穿設されており、それぞれ取付ねじ１９を取付孔１１ｅ，１２ｅに貫挿し、扉体５の下端部に埋設された埋木５８にねじ込むことで、第１及び第２の扉引寄せ部材１１，１２を扉体５に取り付けることができる。
【００３３】
上記プロテクタ１３は、アルミニウム製押出形材によって形成されており、図４及び図５に示すように、第１及び第２の扉引寄せ部材１１，１２と同一幅に形成され、第１及び第２の扉引寄せ部材１１，１２のガイド片１１ｂ，１２ｂの先端に連接して連続する厚さに形成されている。なお、この場合、プロテクタ１３は、図４及び図５に示すように、プロテクタ１３の幅方向中央に等間隔に穿設された取付孔（図示せず）を貫通するビス１３ａを扉体５の下端部に埋設された埋木５ｄにねじ止めすることで固定される。あるいは、図示しない接着剤等によって扉体５の表面板５ａに接着されている。このようにプロテクタ１３を形成することによって、後述するローラ部材１５とプロテクタ１３とが接触するので、表面板５ａの下端部を保護することができる。
【００３４】
上記第１及び第２のガイドローラ１４Ａ，１４Ｂは、同一の形状で形成されており、図６及び図７に示すように、扉引寄せ部材１１，１２及びプロテクタ１３に回転自在に接触するローラ部材１５と、このローラ部材１５を回転自在かつ着脱可能に装着するローラブラケット１６とで主に構成されている。
【００３５】
上記ローラ部材１５は、例えば、ポリアセタール樹脂（ＰＯＭ）のような強靱、耐摩耗性、自己潤滑性等に富む合成樹脂製部材によって形成されており、扉引寄せ部材１１，１２及びプロテクタ１３に接触する基部１５ａと、ローラブラケット１６の後述する垂直軸１６ｂに回転自在に装着される回転孔１５ｂとを具備した円筒状に形成されている。
【００３６】
このようにローラ部材１５を、強靱、耐摩耗性、自己潤滑性等に富むポリアセタール樹脂（ＰＯＭ）等の合成樹脂製部材にて形成することによって、扉体５の開閉をスムーズに行うことができる。また、ローラ部材１５と第１及び第２の扉引寄せ部材１１，１２を共に合成樹脂製部材にて形成することにより、摩耗を少なくすることができる。
【００３７】
上記ローラブラケット１６は、図６及び図７に示すように、図示しない取付ボルトによって床面８に取り付けられる矩形状の取付板１６ａと、この取付板１６ａの一隅部に垂直に立設され、ローラ部材１５の回転孔１５ｂに挿入される垂直軸１６ｂとで形成されている。この場合、垂直軸１６ｂの下端部には、装着されるローラ部材１５が、扉体５の扉引寄せ部材１１，１２及びプロテクタ１３に接触する高さに位置するように、段部１６ｃが形成されている。また、垂直軸１６ｂの先端には、ねじ穴１６ｄが設けられており、装着されたローラ部材１５を合成樹脂製のワッシャ１７を介した止着ねじ１８によって回転自在かつ着脱可能にねじ止めすることができる。また、取付板１６ａには、図４ないし図６に示すように、取付穴１６ｅ及び取付長孔１６ｆが穿設されており、図示しない取付ボルトによって床面８に位置調節が可能に取り付けられている。
【００３８】
次に、この発明に係るスライド扉装置の動作態様について、図８を参照して説明する。まず、開放位置から閉鎖位置側に移動された扉体５は、第１の扉引寄せ部材１１のガイド面１１ｃ、案内面１１ｄが、順に第２のガイドローラ１４Ｂのローラ部材１５に接触しつつ閉鎖位置側に移動する（図８（ａ）参照）。次に、プロテクタ１３が第２のガイドローラ１４Ｂのガイド部材１５と接触しつつ扉体５が閉鎖位置側に移動する（図８（ｂ）参照）。ここで、扉体５が閉鎖位置付近に到達すると、第１の扉引寄せ部材１１の端片１１ａが第１のガイドローラ１４Ａのローラ部材１５に接触し、第２のガイドローラ１４Ｂのローラ部材１５と第２の扉引寄せ部材１２のガイド傾斜面１２ｄとが接触すると共に、押圧面１２ｃが第２のガイドローラ１４Ｂのローラ部材１５と係合することで、扉体５の後端部側が庫体１側に押圧される（図８（ｃ）参照）。この状態で、更に扉体５を閉鎖位置側へ移動させると、第１の扉引寄せ部材１１とガイド片１１ｂのガイド面１１ｃが第１のガイドローラ１４Ａに乗り上げて係合すると共に、第２の扉引寄せ部材１２のガイド片１２ｂの押圧面１２ｃとが係合することで、扉体５が庫体１側に押圧される。
【００３９】
このように、扉体５の閉鎖位置において、第１のガイドローラ１４Ａと第１の扉引寄せ部材１１、及び、第２のガイドローラ１４Ｂと第２の扉引寄せ部材１２とが係合することによって、扉体５が庫体１の開口部２側に押圧され、扉体５に装着されたパッキング７０と庫体１の開口部２の開口枠２１に装着されたパッキン受座７１とが密着するので、扉体５によって庫体１の開口部２を密閉することができる。
【００４０】
なお、扉体５の開放位置において、第１の扉引寄せ部材１１のガイド面１１ｃと第２のガイドローラ１４Ｂのローラ部材１５とが係合し、扉体５の閉鎖側端部のパッキング７０が庫体１の開口部２のパッキン受け７１に押圧されることによって扉体５は開放維持されている。
【００４１】
また、第１及び第２のガイドローラ１４Ａ，１４Ｂを、ローラブラケット１６に装着されたローラ部材１５を固定ねじ１８によって回転自在かつ着脱可能に形成し、扉体５の外方の床面８に配設することによって、ローラ部材１５が破損又は摩耗した場合に、固定ねじ１８を取り外すだけで、ローラ部材１５の交換作業を行うことができる。したがって、庫体１の開口部２を密閉している扉体５を取り外すことなくローラ部材１５の交換を行うことができるので、庫体１内の雰囲気を維持することができる。
【００４２】
なお、上記実施形態では、扉体５の開閉が手動式である場合について説明したが、電動式である場合にも適用できることは勿論である。
【００４３】
また、上記実施形態では、この発明に係るスライド扉装置をプレハブ式の冷蔵庫に適用した場合について説明したが、プレハブ式の冷蔵庫以外の例えばクリーンルーム、保管庫あるいは保冷凍庫等や一般の建物にも同様に適用できることは勿論である。
【図面の簡単な説明】
【００４４】
【図１】この発明に係るスライド扉装置を示す概略正面図である。
【図２】上記スライド扉装置を示す断面図である。
【図３】この発明における密閉移動手段を示す拡大側面図である。
【図４】図１のＩ−Ｉ線に沿った断面図である。
【図５】この発明における扉引寄せ部材及びプロテクタの取付状態を示す斜視図である。
【図６】この発明におけるガイドローラを示す斜視図である。
【図７】図６の分解斜視図である。
【図８】この発明におけるスライド扉装置の閉鎖動作を示す概略平面図である。
【符号の説明】
【００４５】
１  庫体
２  出入口用開口部
３  案内レール
５  扉体
７  吊り車輪
８  床面
１０  密閉移動手段
１１  第１の扉引寄せ部材
１２  第２の扉引寄せ部材
１４Ａ  第１のガイドローラ
１４Ｂ  第２のガイドローラ
１５  ローラ部材
１６  ローラブラケット
１６ａ  取付板
１６ｂ  垂直軸
１７  ワッシャ
１８  止着ねじ（ねじ部材）
【図１】
2005344326.tif 000003
【図２】
2005344326.tif 000004
【図３】
2005344326.tif 000005
【図４】
2005344326.tif 000006
【図５】
2005344326.tif 000007
【図６】
2005344326.tif 000008
【図７】
2005344326.tif 000009
【図８】
2005344326.tif 000010